(57)【要約】【課題】  整経ドラム上と綾取りバー上とで経糸の配列順の反転現象が生じず、同時整経糸本数が多い場合でも後工程の製織行程において経糸の開口不良を生じたり、経糸のつれ及び経糸の切れ等の問題を惹起することのない複本数同時整列巻きによるサンプル整経方法及びサンプル整経機を提供する。【解決手段】  ヤーンガイドが一回転する間に整経ドラムに巻付けられる複本数の経糸が整経方向とは逆方向に向かって整経密度の距離Ｒを有する間隔を保持するように該ヤーンガイドの各々の導糸端部を展開配置することによって、該整経ドラムに巻き付けられる糸の巻付順に整経方向から逆方向に整経密度の距離Ｒ分の間隔を有して配列された同時整経本数からなる経糸帯を形成するように該整経ドラムに巻き付けるようにした。【選択図】  図１
2007046204.tif 000002
【特許請求の範囲】
【請求項１】
整経ドラムと、該整経ドラムの外周部の長手方向に移動自在に設けられた複数のコンベアベルトと、該整経ドラムの側部の長手方向に設けられ且つ所定の綾を形成する複数の綾取り手段と、該整経ドラムの外周面上に経糸を巻き付ける複数のヤーンガイドと、該ヤーンガイドに対応して設けられ且つボビンが着脱自在に装着されたクリールと、を備えるサンプル整経機によって複本数同時整経による整列巻きを行うサンプル整経方法であって、該ヤーンガイドによる経糸の巻付位置を定める導糸端部が整経方向に変位自在に設けられ、該ヤーンガイドが一回転する間に整経ドラムに巻付けられる複本数の経糸が整経方向とは逆方向に向かって整経密度の距離Ｒを有する間隔を保持するように該ヤーンガイドの各々の導糸端部を展開配置することによって、該整経ドラムに巻き付けられる糸の巻付順に整経方向から逆方向に整経密度の距離Ｒ分の間隔を有して配列された同時整経本数からなる経糸帯を形成するように該整経ドラムに巻き付けることを特徴とする複本数同時整列巻きによるサンプル整経方法。
【請求項２】
整経長（整経長＝整経ドラム周長×巻回数）即ち巻回数が２回巻以上の場合、予め設定された巻回数に達するまでの間、ヤーンガイドの回転毎に前回転で形成した経糸帯から変位量の距離Ｐ分整経方向へ変位した経糸帯を形成するように積層することを特徴とする請求項１記載の複本数同時整列巻きによるサンプル整経方法。
【請求項３】
予め設定された整経長、即ち巻回数に達すると、前記複数のヤーンガイドの各々の導糸端部は次バンドの巻き付け前に、次バンドの整経本数に応じて前バンドの１周目の巻き付け始めのスタート位置に戻り、コンベアベルトは次バンドの同時整経本数に整経密度の距離Ｒ分を乗じたＲN分を整経方向へ移動することを特徴とする請求項１又は２記載の複本数同時整列巻きによるサンプル整経方法。
【請求項４】
前記整経密度の距離Ｒは、（１）整経幅÷整経総本数の値、又は（２）異なる番手の経糸が混在する場合は直径の太い糸を巻付けるときの距離Ｒの値は直径の細い糸を巻き付けたときの距離Ｒの値より大きな値（ＲL）或いは直径の細い糸を巻き付けるときの距離Ｒの値は直径の太い糸を巻き付けるときの距離Ｒ（即ちＲL）の値より小さな値（ＲS）とし、それぞれの距離Ｒ（ＲL，ＲS）の値に対応する整経本数を乗じた値の合計が整経幅となるような上記（１）又は（２）のいずれかの距離Ｒ（ＲL，ＲS）を用いることを特徴とする請求項１〜３のいずれか１項記載の複本数同時整列巻きによるサンプル整経方法。
【請求項５】
前記変位量の距離Ｐの値は、整経される経糸太さの直径ｄ以上又は前記整経密度の距離Ｒ以上のいずれかであることを特徴とする請求項１〜４のいずれか１項記載の複本数同時整列巻きによるサンプル整経方法。
【請求項６】
整経ドラムと、該整経ドラムの外周部の長手方向に移動自在に設けられた複数のコンベアベルトと、該整経ドラムの側部の長手方向に設けられ且つ所定の綾を形成する複数の綾取り手段と、該整経ドラムの外周面上に経糸を巻き付ける複数のヤーンガイドと、該ヤーンガイドに対応して設けられ且つボビンが着脱自在に装着されたクリールと、を備えるサンプル整経機であって、該ヤーンガイドによる経糸の巻付位置を定める導糸端部が整経方向に変位自在に設けられ、該ヤーンガイドが一回転する間に整経ドラムに巻付けられる複本数の経糸が整経方向とは逆方向に向かって整経密度の距離Ｒを有する間隔を保持するように該ヤーンガイドの各々の導糸端部を展開配置することによって、該整経ドラムに巻き付けられる糸の巻付順に整経方向から逆方向に整経密度の距離Ｒ分の間隔を有して配列された同時整経本数からなる経糸帯を形成すると共に、整経長（整経長＝整経ドラム周長×巻回数）即ち巻回数が２回巻以上の場合は、予め設定された巻回数に達するまでの間、ヤーンガイドの回転毎に前回転で形成した経糸帯から変位量の距離Ｐ分整経方向へ変位した経糸帯を形成するように積層することを特徴とする複本数同時整列巻き可能なサンプル整経機。
【請求項７】
予め設定された整経長（整経長＝整経ドラム周長×巻回数）即ち巻回数に達すると、前記ガイド手段は次バンドの巻付け前に、次バンドの整経本数に応じて前バンドの１周目の巻付け始めのスタート位置に戻り、コンベアベルトは次バンドの同時整経本数に整経密度の距離Ｒ分を乗じた距離ＲN分整経方向へ移動し、予め設定された整経総本数まで繰り返すことを特徴とする請求項６記載の複本数同時整列巻き可能なサンプル整経機。
【発明の詳細な説明】
【技術分野】
【０００１】
本発明は、経糸のサンプル整経方法及びそのサンプル整経機に係り、特には複数本の経糸を同時に整列巻きを行うサンプル整経方法及びそれを可能としたサンプル整経機に関する。
【背景技術】
【０００２】
従来より、サンプル整経機（Sample Warper）による経糸の整経方法として、いわゆる整列巻きと呼ばれる経糸の整経方法が広く知られている。この整列巻きは、ヤーンガイドからの経糸をヤーンガイドの１回転毎に変位量の距離Ｐだけ整経方向へ移動させつつ巻き付け、ヤーンガイドの回転数が回数巻の設定値（例えば５回巻き）に達すると、経糸の巻付位置を当該バンドの巻き始めのスタート位置に戻し（いわゆるクイックバックし）、これと共にコンベアベルトは整経密度の距離Ｒ×同時整経本数＝距離ＲN分だけ整経方向に移動するという動作を整経総本数まで繰り返すものである（特許文献１等参照）。
【０００３】
この整列巻きには、１本のヤーンガイドで経糸１本を整経する場合（特許文献１等参照）の他、複数本（一般的に２〜２４本）のヤーンガイドで複数本の経糸を同時整経する場合（特許文献２等参照）があり、また、整列巻きを行う際の各経糸の巻付位置の移動態様には、大別すると（一）整経ドラムのドラムスポークに設けられたガイド手段の摺動による場合、（二）整経ドラムの外周面上に経糸を巻き付けるヤーンガイドの移動（先端糸案内ロッドの導糸端部の変位）による場合、（三）整経ドラムの長手方向に設けられたコンベアベルトの搬送による場合とがある（特許文献１等参照）。
【０００４】
なお、本明細書において、経糸帯とは予め設定された巻回数の間、ヤーンガイドの一回転毎に形成されるシート状（帯状）の経糸配列（図１１では１Ａ〜１Ｈ、２Ａ〜２Ｈ、３Ａ〜３Ｈ、４Ａ〜４Ｈ、５Ａ〜５Ｈのそれぞれ）のことをいい、また、バンドとは同時整経本数（例えば８本）×巻回数（例えば５回巻）からなる経糸帯Ｂ積層構造全体（図１１では１Ａ〜５Ｈまで）のことをいうものとする。
【０００５】
ここで、複数本のヤーンガイド６ａ〜６ｈで複数本の経糸を同時整経するに際して、上記（二）整経ドラム１４の外周面上に経糸を巻き付けるためのヤーンガイド６の導糸端部１３の変位（先端糸案内ロッド１２の整経方向への移動）による場合、或いは上記（三）整経ドラムの長手方向に設けられたコンベアベルト１７の搬送による場合、ヤーンガイド６ａ〜６ｈの導糸端部１３は整経方向に変位自在に設けられており、ヤーンガイド６ａ〜６ｈが一回転する間に整経ドラム１４に巻付けられる複本数の経糸が整経方向に順次同一の整経密度の距離Ｒを有する間隔を保持するようにヤーンガイド６ａ〜６ｈの各々の導糸端部１３を配置し（図１１参照）、各経糸帯が経糸の巻付順に整経方向に向けて整経密度の距離Ｒ分の間隔を有して配列された同時整経本数からなる経糸帯を形成する〔図１１参照、なお、上記（一）整経ドラムのドラムスポークに設けられたガイド手段の摺動による場合については特願２００５−２３３５２６号参照。〕
【０００６】
図１１に示した如くの同時整経糸本数８本で５回巻の場合、ヤーンガイド６ａ〜６ｈの各々の導糸端部１３が整経方向に変位して配置されていることによって、整経ドラム上では手前側（整経ドラム前端側）から整経方向（コンベアベルトの移動方向、整経ドラム後端側）に向けて、１周目の経糸帯が経糸１Ａ、１Ｂ、１Ｃ、１Ｄ、１Ｅ、１Ｆ、１Ｇ、１Ｈの順で整経密度の距離Ｒ毎に配列され、２周目の経糸帯が変位量の距離Ｐ分だけ変位して、経糸２Ａ、２Ｂ、２Ｃ、２Ｄ、２Ｅ、２Ｆ、２Ｇ、２Ｈの順で整経密度の距離Ｒ毎に配列され、３周目の経糸帯が変位量の距離Ｐ分だけ変位して、経糸３Ａ、３Ｂ、３Ｃ、３Ｄ、３Ｅ、３Ｆ、３Ｇ、３Ｈの順で整経密度の距離Ｒ毎に配列され、４周目の経糸帯が変位量の距離Ｐ分だけ変位して、経糸４Ａ、４Ｂ、４Ｃ、４Ｄ、４Ｅ、４Ｆ、４Ｇ、４Ｈの順で整経密度の距離Ｒ毎に配列され、５周目の経糸帯が変位量の距離Ｐ分だけ変位して、経糸５Ａ、５Ｂ、５Ｃ、５Ｄ、５Ｅ、５Ｆ、５Ｇ、５Ｈの順で整経密度の距離Ｒ毎に配列されるようにして各経糸帯が積層されているものである（図１１参照）。
【０００７】
このような巻き姿は、一見すると整経方向に向かって順序よく整然と整列されているように見える。また、技術常識からみても整経方向に順列に経糸が配列されているのであるから、当然のように正しい経糸の配列順であると考えられていた。従って、整列巻きによる経糸の整経方法が行われるようになって以来、長年に亘って当然のこととして常識的に上記経糸の配列順で整列巻きを行っていたのである。ところが、近年になって整経速度や整経効率等の観点からヤーンガイドの本数が増え、同時整経糸本数が多くなるにつれて、例えば後工程の製織行程において経糸の開口不良を生じたり、経糸のつれ及び経糸の切れ等の問題が生じることが多くなってきた。
【特許文献１】特許第２８５４７８９号公報
【特許文献２】特許第３４１０４４０号公報
【特許文献３】特許第３４８４４０１号公報
【発明の開示】
【発明が解決しようとする課題】
【０００８】
上記問題が生じる原因につき、本発明者らは鋭意検討を重ねた処、整経ドラム上の経糸の配列順と綾取りバー上の配列順とでは同時整経糸本数毎に１８０°反転した経糸の配列順となっていることが原因であることが見出された。即ち、従来より経糸の整経に際しては、整経ドラムの側部に設けられた綾取りバーで各種の綾（始端及び終端のカット綾、一本交互の綾など）が形成されているのであるが（特許文献１等参照）、綾取りバーでは経糸が給糸される毎に逐次順番に綾を取るため、例えば、図１２に示した如く、１周目が経糸Ａ→Ｂ→Ｃ→Ｄ→Ｅ→Ｆ→Ｇ→Ｈの順番で整経ドラム上に給糸されたとすると、その順番で逐次綾取りされるために綾取りバー上では整経方向に向かって経糸１Ａが奥側に経糸１Ｈが手前側に、即ち経糸Ｈ→Ｇ→Ｆ→Ｅ→Ｄ→Ｃ→Ｂ→Ａの順番で配列されることとなり、結果的に、整経ドラム上の経糸の配列順（Ａ→Ｂ→Ｃ→Ｄ→Ｅ→Ｆ→Ｇ→Ｈ）と綾取りバー上の配列順（Ｈ→Ｇ→Ｆ→Ｅ→Ｄ→Ｃ→Ｂ→Ａ）とでは、同時整経糸本数毎に１８０°反転した配列となってしまっていたのである（図１２参照）。
【０００９】
従前のようにヤーンガイドの本数（即ち同時整経糸本数）が１〜２本程度であった場合には、例え整経ドラム上と綾取りバー上においてこのような経糸の配列順の反転現象が実際には生じていたとしても殆ど問題にならなかったのであるが、近年では整経速度や整経効率等の観点からヤーンガイドの本数（同時整経糸本数）が８〜２４本にまで増加してきているため、その８〜２４本毎に常に経糸の配列順の反転現象が整経ドラム上と綾取りバー上に生じていることとなり、この反転現象の生じたことによって後工程の製織行程において経糸の開口不良を生じたり、経糸のつれ及び経糸の切れ等の問題を惹起していたのである。
【００１０】
本発明は、上記問題点に鑑みてなされたものであり、整経ドラム上と綾取りバー上とで経糸の配列順の反転現象が生じず、同時整経糸本数が多い場合でも後工程の製織行程において経糸の開口不良を生じたり、経糸のつれ及び経糸の切れ等の問題を惹起することのない複本数同時整列巻きによるサンプル整経方法及びサンプル整経機を提供することを目的とする。
【課題を解決するための手段】
【００１１】
上記課題を解決するために、本発明の複本数同時整列巻きによるサンプル整経方法は、整経ドラムと、該整経ドラムの外周部の長手方向に移動自在に設けられた複数のコンベアベルトと、該整経ドラムの側部の長手方向に設けられ且つ所定の綾を形成する複数の綾取り手段と、該整経ドラムの外周面上に経糸を巻き付ける複数のヤーンガイドと、該ヤーンガイドに対応して設けられ且つボビンが着脱自在に装着されたクリールと、を備えるサンプル整経機によって複本数同時整経による整列巻きを行うサンプル整経方法であって、該ヤーンガイドによる経糸の巻付位置を定める導糸端部が整経方向に変位自在に設けられ、該ヤーンガイドが一回転する間に整経ドラムに巻付けられる複本数の経糸が整経方向とは逆方向に向かって整経密度の距離Ｒを有する間隔を保持するように該ヤーンガイドの各々の導糸端部を展開配置することによって、該整経ドラムに巻き付けられる糸の巻付順に整経方向から逆方向に整経密度の距離Ｒ分の間隔を有して配列された同時整経本数からなる経糸帯を形成するように該整経ドラムに巻き付けることを特徴とする。
【００１２】
整経長（整経長＝整経ドラム周長×巻回数）即ち巻回数が２回巻以上の場合、予め設定された巻回数に達するまでの間、ヤーンガイドの回転毎に前回転で形成した経糸帯から変位量の距離Ｐ分整経方向へ変位した経糸帯を形成するように積層することが好適である。
【００１３】
予め設定された整経長、即ち巻回数に達すると、前記複数のヤーンガイドの各々の導糸端部は次バンドの巻き付け前に、次バンドの整経本数に応じて前バンドの１周目の巻き付け始めのスタート位置に戻り、コンベアベルトは次バンドの同時整経本数に整経密度の距離Ｒ分を乗じたＲN分を整経方向へ移動することが好ましい態様である。
【００１４】
前記整経密度の距離Ｒは、（１）整経幅÷整経総本数の値、又は（２）異なる番手の経糸が混在する場合は直径の太い糸を巻付けるときの距離Ｒの値は直径の細い糸を巻き付けたときの距離Ｒの値より大きな値（ＲL）或いは直径の細い糸を巻き付けるときの距離Ｒの値は直径の太い糸を巻き付けるときの距離Ｒ（即ちＲL）の値より小さな値（ＲS）とし、それぞれの距離Ｒ（ＲL，ＲS）の値に対応する整経本数を乗じた値の合計が整経幅となるような上記（１）又は（２）のいずれかの距離Ｒ（ＲL，ＲS）を用いることが好ましい。
【００１５】
前記変位量の距離Ｐの値は、整経される経糸太さの直径ｄ以上又は前記整経密度の距離Ｒ以上のいずれかであることが好ましい。
【００１６】
また、本発明の複本数同時整列巻き可能なサンプル整経機は、整経ドラムと、該整経ドラムの外周部の長手方向に移動自在に設けられた複数のコンベアベルトと、該整経ドラムの側部の長手方向に設けられ且つ所定の綾を形成する複数の綾取り手段と、該整経ドラムの外周面上に経糸を巻き付ける複数のヤーンガイドと、該ヤーンガイドに対応して設けられ且つボビンが着脱自在に装着されたクリールと、を備えるサンプル整経機であって、該ヤーンガイドによる経糸の巻付位置を定める導糸端部が整経方向に変位自在に設けられ、該ヤーンガイドが一回転する間に整経ドラムに巻付けられる複本数の経糸が整経方向とは逆方向に向かって整経密度の距離Ｒを有する間隔を保持するように該ヤーンガイドの各々の導糸端部を変位させて配置することによって、該整経ドラムに巻き付けられる糸の巻付順に整経方向から逆方向に整経密度の距離Ｒ分の間隔を有して配列された同時整経本数からなる経糸帯を形成すると共に、整経長（整経長＝整経ドラム周長×巻回数）即ち巻回数が２回巻以上の場合は、予め設定された巻回数に達するまでの間、ヤーンガイドの回転毎に前回転で形成した経糸帯から変位量の距離Ｐ分整経方向へ変位した経糸帯を形成するように積層することを特徴とする。
【００１７】
予め設定された整経長（整経長＝整経ドラム周長×巻回数）即ち巻回数に達すると、前記ガイド手段は次バンドの巻付け前に、次バンドの整経本数に応じて前バンドの１周目の巻付け始めのスタート位置に戻り、コンベアベルトは次バンドの同時整経本数に整経密度の距離Ｒ分を乗じた距離ＲN分整経方向へ移動し、予め設定された整経総本数まで繰り返すことが好適である。
【発明の効果】
【００１８】
本発明によれば、整経ドラム上と綾取りバー上とで経糸の配列順の反転現象が生じず、同時整経糸本数が多い場合でも後工程の製織行程において経糸の開口不良を生じたり、経糸のつれ及び経糸の切れ等の問題を惹起することのない複本数同時整列巻きによるサンプル整経方法及びサンプル整経機を提供することができるという大きな効果を奏する。
【発明を実施するための最良の形態】
【００１９】
以下に本発明の実施の形態を添付図面に基づいて説明するが、図示例は例示的に示されたもので、本発明の技術思想から逸脱しない限り種々の変形が可能なことはいうまでもない。
【００２０】
図１は本発明におけるヤーンガイドの導糸端部の配置を概念的に示す説明図であり、（ａ）は８本同時整経の場合、（ｂ）は４本同時整経の場合である。図２は各バンドの同時整経本数が同じ場合の本発明方法による経糸の巻き姿及び整経原理を概念的に示す説明図である。図３は各バンドの同時整経本数が異なる場合の本発明方法による経糸の巻き姿及び整経原理を概念的に示す説明図である。図４は本発明方法による整経ドラム上と綾取りバー上とで経糸の配列順を示す概念図である。図５は本発明におけるヤーンガイドの一例を示す正面説明図である。図６は図５の要部拡大図である。図７は本発明におけるヤーンガイドの変位動作を示す側面説明図である。図８は本発明におけるヤーンガイドの導糸端部の展開配置関係を示す側面説明図である。図９は綾取り手段の一例を示す側面説明図である。図１０は本発明のサンプル整経機の一例を示す斜視説明図である。図中、符号２は本発明のサンプル整経機、符号Ｙは経糸、符号Ｙｄは整列巻きされた経糸層である。なお、以下の説明では、同時整経糸本数が４本と８本の場合を例にとって説明するが、２〜２４本の場合でも同様である。
【００２１】
まず、各バンドの同時整経糸本数が８本の繰り返しで、経糸Ａ，Ｂ，Ｃ，Ｄ，Ｅ，Ｆ，Ｇ，Ｈの順で整経ドラム１４に巻き付けられるように各ヤーンガイド６ａ〜６ｈに経糸を仕掛けた整経長（巻回数）が５回巻の例を用い、各経糸帯を構成する経糸の配列順及び各経糸帯の積層形態について図１及び図２を用いて説明する。
【００２２】
各バンドの同時整経糸本数が８本の繰り返しである場合は、図１（ａ）に示した如く、ヤーンガイド６ａ〜６ｈの先端糸案内ロッド１２の導糸端部１３が整経方向とは逆方向へ整経密度の距離Ｒを有する間隔を保持するように整経方向と略平行に展開して配置される。後述するように、ヤーンガイド６ａ〜６ｈの先端糸案内ロッド１２は整経方向と略平行に回動自在とされており、これにより導糸端部１３の配置は整経方向に変位自在とされている。
【００２３】
ヤーンガイド６ａ〜６ｈの導糸端部１３には、それぞれ経糸Ａ，Ｂ，Ｃ，Ｄ，Ｅ，Ｆ，Ｇ，Ｈが仕掛けられており、ヤーンガイド６ａ〜６ｈが一回転する毎に、整経ドラム１４のコンベアベルト１７上に巻き付けられる（給糸される）経糸の巻付順（即ちＡ，Ｂ，Ｃ，Ｄ，Ｅ，Ｆ，Ｇ，Ｈの順）に整経方向から逆方向に整経密度の距離Ｒ分の間隔を有して配列された経糸帯（Ｂ）を形成する。
【００２４】
１周目（１層目）の経糸帯は、整経ドラム１４のコンベアベルト１７上において、上記ヤーンガイド６ａ〜６ｈの導糸端部１３の配置によって、整経ドラム１４の後端側から整経ドラム１４の前端側に向けて、即ち整経方向の逆方向に向けて、経糸１Ａ、１Ｂ、１Ｃ、１Ｄ、１Ｅ、１Ｆ、１Ｇ、１Ｈの順に距離Ｒ毎に配列される（図２）。
【００２５】
２周目（２層目）の経糸帯は、上記１周目（１層目）の経糸帯に対して変位量の距離Ｐ分整経方向へ変位した積層形態とすべく、ヤーンガイド６ａ〜６ｈのそれぞれの導糸端部１３を変位量の距離Ｐ分整経方向へ変位せしめる。従って、２周目（２層目）の経糸帯は、整経ドラム１４のコンベアベルト１７上において、上記ヤーンガイド６ａ〜６ｈの導糸端部１３の配置によって、整経方向の逆方向に向けて、経糸２Ａ、２Ｂ、２Ｃ、２Ｄ、２Ｅ、２Ｆ、２Ｇ、２Ｈの順に距離Ｒ毎に配列される（図２）。
【００２６】
ここで、本発明方法において整経密度の距離Ｒの値は、（１）整経幅÷整経総本数の値であり、また、（２）異なる番手の経糸が混在する場合は、直径の太い糸を巻付けるときの距離Ｒの値は直径の細い糸を巻き付けたときの距離Ｒの値より大きな値（ＲL）、直径の細い糸を巻き付けるときの距離Ｒの値は直径の太い糸を巻き付けるときの距離Ｒ（即ちＲL）の値より小さな値（ＲS）とし、それぞれの距離Ｒ（ＲL，ＲS）の値に対応する整経本数を乗じた値の合計が整経幅となるような上記（１）又は（２）のいずれかの距離Ｒのことをいうものである。また、変位量の距離Ｐの値は、整経される経糸太さの直径ｄ以上又は整経密度の距離Ｒ以上のいずれかをいうものである。
【００２７】
３周目（３層目）の経糸帯は、上記２周目（２層目）の経糸帯に対して変位量の距離Ｐ分整経方向へ変位した積層形態とすべく、ヤーンガイド６ａ〜６ｈのそれぞれの導糸端部１３を変位量の距離Ｐ分さらに整経方向へ変位せしめる。従って、３周目（３層目）の経糸帯は、整経ドラム１４のコンベアベルト１７上において、上記ヤーンガイド６ａ〜６ｈの導糸端部１３の配置によって、整経方向の逆方向に向けて、経糸３Ａ、３Ｂ、３Ｃ、３Ｄ、３Ｅ、３Ｆ、３Ｇ、３Ｈの順に距離Ｒ毎に配列される（図２）。
【００２８】
４周目（４層目）の経糸帯は、上記３周目（３層目）の経糸帯に対して変位量の距離Ｐ分整経方向へ変位した積層形態とすべく、ヤーンガイド６ａ〜６ｈのそれぞれの導糸端部１３を変位量の距離Ｐ分さらに整経方向へ変位せしめる。従って、４周目（４層目）の経糸帯は、整経ドラム１４のコンベアベルト１７上において、上記ヤーンガイド６ａ〜６ｈの導糸端部１３の配置によって、整経方向の逆方向に向けて、経糸４Ａ、４Ｂ、４Ｃ、４Ｄ、４Ｅ、４Ｆ、４Ｇ、４Ｈの順に距離Ｒ毎に配列される（図２）。
【００２９】
５周目（５層目）の経糸帯は、上記４周目（４層目）の経糸帯に対して変位量の距離Ｐ分整経方向へ変位した積層形態とすべく、ヤーンガイド６ａ〜６ｈのそれぞれの導糸端部１３を変位量の距離Ｐ分さらに整経方向へ変位せしめる。従って、５周目（５層目）の経糸帯は、整経ドラム１４のコンベアベルト１７上において、上記ヤーンガイド６ａ〜６ｈの導糸端部１３の配置によって、整経方向の逆方向に向けて、経糸５Ａ、５Ｂ、５Ｃ、５Ｄ、５Ｅ、５Ｆ、５Ｇ、５Ｈの順に距離Ｒ毎に配列される（図２）。
【００３０】
すると、ヤーンガイドの回転数が回数巻の設定値に達するので、ヤーンガイド６ａ〜６ｈのそれぞれの導糸端部１３を経糸５Ａ〜５Ｈからなる経糸帯の位置から当該バンドの巻き始め〔１周目（１層目）〕のスタート位置（経糸１Ａ〜５Ｈからなる経糸帯の位置）にクイックバックする（図２）。ここでいうクイックバックとは、ヤーンガイド６ａ〜６ｈのそれぞれの導糸端部１３を当該バンドの巻き始め〔１周目（１層目）〕のスタート位置（経糸１Ａ〜１Ｈからなる経糸帯の位置）に戻す動作（言わばヤーンガイド６ａ〜６ｈの先端糸案内ロッド１２による導糸端部１３の変位動作のリセット）をいうものである。そして、これと共にコンベアベルト１７は整経密度の距離Ｒ×次バンドの同時整経本数＝距離ＲN分（図示例では経糸帯の幅Ｂと同じ距離分）だけ整経方向に移動する（図２）。これを繰り返すことにより、各バンドの同時整経糸本数が８本の繰り返しである場合の本発明方法による巻き姿が完成する（図２）。
【００３１】
なお、上記経糸帯毎の変位量の距離Ｐ分の変位動作及びバンド毎のクイックバック動作をヤーンガイド６ａ〜６ｈの先端糸案内ロッド１２による導糸端部１３の変位動作ではなく、コンベアベルト１７を正逆転可能に設けておくことで、コンベアベルト１７の搬送によって当該動作を行うことも可能である（特許文献１参照）。
【００３２】
次に、各バンドの同時整経糸本数が８本（経糸Ａ，Ｂ，Ｃ，Ｄ，Ｅ，Ｆ，Ｇ，Ｈ）と４本（経糸Ｂ，Ｄ，Ｆ，Ｈ）の交互の繰り返しで、整経ドラム１４に巻き付けられるように各ヤーンガイド６ａ〜６ｈに経糸を仕掛けた整経長（巻回数）が５回巻の例を用い、各経糸帯を構成する経糸の配列順及び各経糸帯の積層形態について図１及び図３を用いて説明する。
【００３３】
各バンドの同時整経糸本数が８本と４本の交互の繰り返しである場合は、同時整経糸本数が８本のバンドの巻き付け時には、図１（ａ）に示した如く、ヤーンガイド６ａ〜６ｈの先端糸案内ロッド１２の導糸端部１３が整経方向とは逆方向へ同一の整経密度の距離Ｒを有する間隔を保持するように整経方向と略平行に展開して配置され、また、同時整経糸本数が４本のバンドの巻き付け時には、図１（ｂ）に示した如く、ヤーンガイド６ｂ，６ｄ，６ｆ，６ｈの先端糸案内ロッド１２の導糸端部１３が整経方向とは逆方向へ同一の整経密度の距離Ｒを有する間隔を保持するように整経方向と略平行に展開して配置される。
【００３４】
同時整経糸本数が８本のバンドの巻き付け時には、前記図２の場合と同様、ヤーンガイド６ａ〜６ｈの導糸端部１３のそれぞれに仕掛けられた経糸Ａ，Ｂ，Ｃ，Ｄ，Ｅ，Ｆ，Ｇ，Ｈをヤーンガイド６ａ〜６ｈが一回転する毎に整経ドラム１４のコンベアベルト１７上に巻き付けられる経糸の巻付順（即ちＡ，Ｂ，Ｃ，Ｄ，Ｅ，Ｆ，Ｇ，Ｈの順）に整経方向から逆方向に整経密度の距離Ｒ分の間隔を有して配列された経糸帯を形成するようにして、経糸帯毎に変位量の距離Ｐ分整経方向へ変位した積層形態とする（図３）。
【００３５】
同時整経糸本数８本のバンドの回数巻の設定値に達する（経糸５Ａ〜５Ｈを巻き付け終わる）と、ヤーンガイド６ａ〜６ｈのそれぞれの導糸端部１３を当該バンドの巻き始め〔１周目（１層目）〕のスタート位置にクイックバックするのであるが、次バンドが同時整経糸本数４本のバンドであるので、８本のヤーンガイド６ａ〜６ｈのうち使用される４本のヤーンガイド６ｂ，６ｄ，６ｆ，６ｈは、ヤーンガイド６ｂ，６ｄ，６ｆ，６ｈの導糸端部１３のそれぞれに仕掛けられた経糸Ｂ，Ｄ，Ｆ，Ｈをヤーンガイド６ｂ，６ｄ，６ｆ，６ｈが１回転する毎に、整経ドラム１４のコンベアベルト１７上に巻付けられる経糸の巻付順（即ち、経糸Ｂ，Ｄ，Ｆ，Ｈの順）に整経方向から逆方向に整経密度の距離Ｒ分の間隔を有して配列された経糸帯を形成するようにクイックバックする。使用されない４本のヤーンガイド６ａ，６ｃ，６ｅ，６ｇは、使用される４本のヤーンガイド６ｂ，６ｄ，６ｆ，６ｈがスタート位置にクイックバックするときに図示されていない休止位置まで変位し、整経ドラム１４のコンベアベルト１７上に巻付けないようにする（なお、巻付糸と休止糸との糸巻付切替手段の一例については特願２００４−２３４８８号参照）。また、これと共にコンベアベルト１７は整経密度の距離Ｒ×次バンドの同時整経本数＝距離ＲN分（図示例では経糸帯の幅Ｂ２と同じ距離分）だけ整経方向に移動する（図３）。
【００３６】
そして、同時整経糸本数４本のバンドの回数巻の設定値に達する（経糸５Ｂ，５Ｄ，５Ｆ，５Ｈを巻き付け終わる）と、ヤーンガイド６ｂ，６ｄ，６ｆ，６ｈのそれぞれの導糸端部１３を当該バンドの巻き始め〔１周目（１層目）〕のスタート位置にクイックバックし、休止位置にあった４本のヤーンガイド６ａ，６ｃ，６ｅ，６ｇは、休止位置から巻付位置であるそれぞれのスタート位置まで変位し、８本のヤーンガイド６ａ〜６ｈにつき整経方向とは逆方向に向かって整経密度の距離Ｒを有する間隔を保持するようにその導糸端部１３が配置される。また、これと共にコンベアベルト１７は整経密度の距離Ｒ×次バンドの同時整経本数＝距離ＲN分（図示例では経糸帯の幅Ｂ１と同じ距離分）だけ整経方向に移動する（図３）。そして再び同時整経糸本数８本のバンドを巻き付ける。このようにして、同時整経糸本数８本と４本のバンドを交互の繰り返しである場合の本発明方法による巻き姿が完成する（図３）。
【００３７】
なお、上記の如くバンド毎の同時整経糸本数が異なる場合でも、上記経糸帯毎の変位量の距離Ｐ分の変位動作及びバンド毎のクイックバック動作をヤーンガイド６ａ〜６ｈの先端糸案内ロッド１２による導糸端部１３の変位動作ではなく、コンベアベルト１７を正逆転可能に設けておくことで、コンベアベルト１７の搬送によって当該動作を行うことも可能である（特許文献１参照）。
【００３８】
本発明方法によれば、整経ドラム上の経糸の配列順と綾取りバー上の配列順とが同じになるので、整経ドラム上と綾取りバー上とで経糸の配列順の反転現象は生じることはない。例えば１周目が経糸１Ａ→１Ｂ→１Ｃ→１Ｄ→１Ｅ→１Ｆ→１Ｇ→１Ｈの順番で給糸された場合でも、本発明方法によれば上記の如く整経ドラム上では整経方向に向かって経糸１Ａが奥側に経糸１Ｈが手前側に、経糸１Ｈ→１Ｇ→１Ｆ→１Ｅ→１Ｄ→１Ｃ→１Ｂ→１Ａの順番で配列されるため、綾取りバー上での経糸の配列順、即ち経糸１Ｈ→１Ｇ→１Ｆ→１Ｅ→１Ｄ→１Ｃ→１Ｂ→１Ａという配列順と一致することとなる（図４参照）。従って、後工程の製織工程において経糸の開口不良等を惹起することもない。
【００３９】
次に、本発明のサンプル整経機２について説明する。本発明のサンプル整経機２は上記本発明方法を実施するようにしたサンプル整経機であり、基本的構造は従来のサンプル整経機と同様のものである。従って、重複した詳細な説明は省略するが、本発明のサンプル整経機２は、略円筒形の整経ドラム１４（例えばドラム外周長７ｍ）と、整経ドラム１４の外周部の長手方向に移動自在に設けられた複数のコンベアベルト１７と、整経ドラム１４の側部の長手方向に設けられ且つ所定の綾を形成するための複数の綾取り手段である綾取りバー１８ａ〜１８ｇと、整経ドラムの外周面上に経糸を巻き付ける複数のヤーンガイド６ａ〜６ｈと、ヤーンガイド６ａ〜６ｈに対応して設けられ且つボビン３２が着脱自在に装着されたクリール３０と、整経ドラム１４の外周前端部に設けられ且つヤーンガイド６ａ〜６ｈによる経糸の巻付位置をガイドする複数のガイド手段８とを備えるものである（図１０参照）。
【００４０】
本発明のサンプル整経機２においては、ヤーンガイド６ａ〜６ｈの先端糸案内ロッド１２が整経方向と略平行に回動自在とされており、これによりそのそれぞれ導糸端部１３の配置を整経方向に変位自在とされている（図５〜図８）。ヤーンガイド６ａ〜６ｈのそれぞれのヤーンガイドアーム１１は回転軸となるヤーンガイドディスク２９に等間隔で取り付けられている（図５）。ヤーンガイド６ａ〜６ｈのそれぞれの先端部分には、先端糸案内ロッド１２が整経方向と略平行に回動自在とされている。即ち、ヤーンガイドアーム１１の先端部に取付部材２５を介してモータ２４が取り付けられており、このモータ２４の回動軸２６に先端糸案内ロッド１２の基端部材２８が整経方向と略平行に回動自在に設けられている（図６及び図７）。モータ２４としてはサーボモータ又はステッピングモータを用い、制御装置によりパルス数を制御することにより正確な先端糸案内ロッド１２の位置決めが可能である。
【００４１】
これによって、先端糸案内ロッド１２の先端に設けられた導糸端部１３の配置を整経方向に変位自在であり（図７及び図８）、それぞれの導糸端部１３に仕掛けられた経糸Ｙを整経ドラム１４のコンベアベルト１７上の所定位置に巻き付けることができるようになり、ヤーンガイド６ａ〜６ｈが一回転する間に整経ドラム１４に巻付けられる複本数の経糸Ｙが整経方向とは逆方向に向かって整経密度の距離Ｒを有する間隔を保持するようにヤーンガイドヤーンガイド６ａ〜６ｈの各々の導糸端部１３を展開配置することによって、整経ドラム１４に巻き付けられる経糸Ｙの巻付順に整経方向から逆方向に整経密度の距離Ｒ分の間隔を有して配列された同時整経本数からなる経糸帯を形成するように巻き付けることができるようになっている（図８）。
【００４２】
綾取り手段である綾取りバー１８ａ〜１８ｇとしては公知のものを利用することができ、例えば図９に示した如くの綾取りバー１８を用いることができる。図９は綾取バー１８の先端部分の断面的説明図である。綾取バー１８は中空のパイプ状部材を有し、その先端部は、下面側がテーパー面とされ、全体的に先細テーパー状となっている。該綾取バー１８の中空部１９の先端部には先端をフック状としたフック部材２０がスピンドル２１を介して先端方向に進退自在に取り付けられている。該フック部材２０が前後に移動することによって整経ドラム１４に巻付けられる経糸を綾取バー１８の上下に選別ガイドされて綾取が行われる。即ち、該フック部材２０が後退している時は経糸は該フック部材２０に係止することはなくそのまま綾取バー１８の下側に達して下側にガイドされる。一方、フック部材２０が前進している時は経糸は該フック部材２０に係止し、そのまま綾取バー１８の上側にガイドされるようになっている（例えば特許文献３参照）。例えば、一本交互の綾を取る場合、経糸Ａ→Ｂ→Ｃ→Ｄ→Ｅ→Ｆ→Ｇ→Ｈの順番で給糸されたとすると、経糸Ａ，Ｃ，Ｅ，Ｇは上側にガイドされ、経糸Ｂ，Ｄ，Ｆ，Ｈは下側にガイドされることとなる（図９参照）。
【００４３】
このような構造を有する本発明のサンプル整経機２によれば上記本発明方法を好適に実施することができ、整経ドラム上と綾取りバー上とで経糸の配列順の反転現象が生じず、同時整経糸本数が多い場合でも後工程の製織行程において経糸の開口不良を生じたり、経糸のつれ及び経糸の切れ等の問題を惹起することのない複本数同時整列巻き可能なサンプル整経機を提供することができるものである。
【図面の簡単な説明】
【００４４】
【図１】本発明におけるヤーンガイドの導糸端部の配置を概念的に示す説明図であり、（ａ）は８本同時整経の場合、（ｂ）は４本同時整経の場合である。
【図２】各バンドの同時整経本数が同じ場合の本発明方法による経糸の巻き姿及び整経原理を概念的に示す説明図である。
【図３】各バンドの同時整経本数が異なる場合の本発明方法による経糸の巻き姿及び整経原理を概念的に示す説明図である。
【図４】本発明方法による整経ドラム上と綾取りバー上とで経糸の配列順を示す概念図である。
【図５】本発明におけるヤーンガイドの一例を示す正面説明図である。
【図６】図５の要部拡大図である。
【図７】本発明におけるヤーンガイドの先端糸案内ロッドの変位動作を示す側面説明図である。
【図８】本発明におけるヤーンガイドの導糸端部の展開配置関係を示す側面説明図である。
【図９】綾取り手段の一例を示す側面説明図である。
【図１０】本発明のサンプル整経機の一例を示す斜視説明図である。
【図１１】従来方法による経糸の巻き姿及び整経原理を概念的に示す説明図である。
【図１２】従来方法による整経ドラム上と綾取りバー上とで経糸の配列順を示す概念図である。
【符号の説明】
【００４５】
２：本発明のサンプル整経機、６，６ａ〜６ｈ：ヤーンガイド、１２：先端糸案内ロッド、１３：導糸端部、１４：整経ドラム、１５：基台、１７：コンベアベルト、１８，１８ａ〜１８ｇ：綾取りバー、１９：中空部、２０：フック部材、２１：スピンドル、２４：モータ、２５：取付部材、２６：回動軸、２８：基端部材、２９：ヤーンガイドディスク、３０：クリール、３２：ボビン、Ｙ，Ａ〜Ｇ，１Ａ〜１Ｈ，２Ａ〜２Ｈ，３Ａ〜３Ｈ，４Ａ〜４Ａ，５Ａ〜５Ｈ：経糸、Ｙｄ：整列巻きされた経糸層。
【図１】
2007046204.tif 000003
【図２】
2007046204.tif 000004
【図３】
2007046204.tif 000005
【図４】
2007046204.tif 000006
【図５】
2007046204.tif 000007
【図６】
2007046204.tif 000008
【図７】
2007046204.tif 000009
【図８】
2007046204.tif 000010
【図９】
2007046204.tif 000011
【図１０】
2007046204.tif 000012
【図１１】
2007046204.tif 000013
【図１２】
2007046204.tif 000014
【手続補正書】
【提出日】平成18年10月3日(2006.10.3)
【手続補正１】
【補正対象書類名】特許請求の範囲
【補正対象項目名】全文
【補正方法】変更
【補正の内容】
【特許請求の範囲】
【請求項１】
整経ドラムと、該整経ドラムの外周部の長手方向に移動自在に設けられた複数のコンベアベルトと、該整経ドラムの側部の長手方向に設けられ且つ所定の綾を形成する複数の綾取り手段と、該整経ドラムの外周面上に経糸を巻き付ける複数のヤーンガイドと、該ヤーンガイドに対応して設けられ且つボビンが着脱自在に装着されたクリールと、を備えるサンプル整経機によって複本数同時整経による整列巻きを行うサンプル整経方法であって、該ヤーンガイドによる経糸の巻付位置を定める導糸端部が整経方向に変位自在に設けられ、該ヤーンガイドが一回転する間に整経ドラムに巻付けられる複本数の経糸が整経方向とは逆方向に向かって距離Ｒを有する間隔を保持するように該ヤーンガイドの各々の導糸端部を展開配置することによって、該整経ドラムに巻き付けられる糸の巻付順に整経方向から逆方向に距離Ｒ分の間隔を有して配列された同時整経本数からなる経糸帯を形成するように該整経ドラムに巻き付けることを特徴とする複本数同時整列巻きによるサンプル整経方法。
【請求項２】
整経長が整経ドラム周長の２倍以上（２回巻以上）の場合、予め設定された整経長に達するまでの間、ヤーンガイドの回転毎に前回転で形成した経糸帯から変位量の距離Ｐ分整経方向へ変位した経糸帯を形成するように積層することを特徴とする請求項１記載の複本数同時整列巻きによるサンプル整経方法。
【請求項３】
予め設定された整経長に達すると、前記複数のヤーンガイドの各々の導糸端部は次バンドの巻き付け前に、次バンドの整経本数に応じて前バンドの１周目の巻き付け始めのスタート位置に戻り、コンベアベルトは次バンドの同時整経本数に距離Ｒ分を乗じたＲN分を整経方向へ移動することを特徴とする請求項１又は２記載の複本数同時整列巻きによるサンプル整経方法。
【請求項４】
前記距離Ｒは、（１）整経幅÷整経総本数の値、又は（２）異なる番手の経糸が混在する場合は直径の太い糸を巻付けるときの距離Ｒの値は直径の細い糸を巻き付けたときの距離Ｒの値より大きな値（ＲL）或いは直径の細い糸を巻き付けるときの距離Ｒの値は直径の太い糸を巻き付けるときの距離Ｒ（即ちＲL）の値より小さな値（ＲS）とし、それぞれの距離Ｒ（ＲL，ＲS）の値に対応する整経本数を乗じた値の合計が前記整経幅となるような上記（１）又は（２）のいずれかの距離Ｒ（ＲL，ＲS）を用いることを特徴とする請求項１〜３のいずれか１項記載の複本数同時整列巻きによるサンプル整経方法。
【請求項５】
前記変位量の距離Ｐの値は、整経される経糸太さの直径ｄ以上又は前記距離Ｒ以上のいずれかであることを特徴とする請求項１〜４のいずれか１項記載の複本数同時整列巻きによるサンプル整経方法。
【請求項６】
整経ドラムと、該整経ドラムの外周部の長手方向に移動自在に設けられた複数のコンベアベルトと、該整経ドラムの側部の長手方向に設けられ且つ所定の綾を形成する複数の綾取り手段と、該整経ドラムの外周面上に経糸を巻き付ける複数のヤーンガイドと、該ヤーンガイドに対応して設けられ且つボビンが着脱自在に装着されたクリールと、を備えるサンプル整経機であって、該ヤーンガイドによる経糸の巻付位置を定める導糸端部が整経方向に変位自在に設けられ、該ヤーンガイドが一回転する間に整経ドラムに巻付けられる複本数の経糸が整経方向とは逆方向に向かって距離Ｒを有する間隔を保持するように該ヤーンガイドの各々の導糸端部を展開配置することによって、該整経ドラムに巻き付けられる糸の巻付順に整経方向から逆方向に距離Ｒ分の間隔を有して配列された同時整経本数からなる経糸帯を形成すると共に、整経長が整経ドラム周長の２倍以上（２回巻以上）の場合は、予め設定された整経長に達するまでの間、ヤーンガイドの回転毎に前回転で形成した経糸帯から変位量の距離Ｐ分整経方向へ変位した経糸帯を形成するように積層することを特徴とする複本数同時整列巻き可能なサンプル整経機。
【請求項７】
予め設定された整経長に達すると、前記ガイド手段は次バンドの巻付け前に、次バンドの整経本数に応じて前バンドの１周目の巻付け始めのスタート位置に戻り、コンベアベルトは次バンドの同時整経本数に距離Ｒ分を乗じた距離ＲN分整経方向へ移動し、予め設定された整経総本数まで繰り返すことを特徴とする請求項６記載の複本数同時整列巻き可能なサンプル整経機。
【手続補正２】
【補正対象書類名】明細書
【補正対象項目名】００１１
【補正方法】変更
【補正の内容】
【００１１】
上記課題を解決するために、本発明の複本数同時整列巻きによるサンプル整経方法は、整経ドラムと、該整経ドラムの外周部の長手方向に移動自在に設けられた複数のコンベアベルトと、該整経ドラムの側部の長手方向に設けられ且つ所定の綾を形成する複数の綾取り手段と、該整経ドラムの外周面上に経糸を巻き付ける複数のヤーンガイドと、該ヤーンガイドに対応して設けられ且つボビンが着脱自在に装着されたクリールと、を備えるサンプル整経機によって複本数同時整経による整列巻きを行うサンプル整経方法であって、該ヤーンガイドによる経糸の巻付位置を定める導糸端部が整経方向に変位自在に設けられ、該ヤーンガイドが一回転する間に整経ドラムに巻付けられる複本数の経糸が整経方向とは逆方向に向かって距離Ｒを有する間隔を保持するように該ヤーンガイドの各々の導糸端部を展開配置することによって、該整経ドラムに巻き付けられる糸の巻付順に整経方向から逆方向に距離Ｒ分の間隔を有して配列された同時整経本数からなる経糸帯を形成するように該整経ドラムに巻き付けることを特徴とする。
【手続補正３】
【補正対象書類名】明細書
【補正対象項目名】００１２
【補正方法】変更
【補正の内容】
【００１２】
整経長が整経ドラム周長の２倍以上（２回巻以上）の場合、予め設定された整経長に達するまでの間、ヤーンガイドの回転毎に前回転で形成した経糸帯から変位量の距離Ｐ分整経方向へ変位した経糸帯を形成するように積層することが好適である。
【手続補正４】
【補正対象書類名】明細書
【補正対象項目名】００１３
【補正方法】変更
【補正の内容】
【００１３】
予め設定された整経長に達すると、前記複数のヤーンガイドの各々の導糸端部は次バンドの巻き付け前に、次バンドの整経本数に応じて前バンドの１周目の巻き付け始めのスタート位置に戻り、コンベアベルトは次バンドの同時整経本数に距離Ｒ分を乗じたＲN分を整経方向へ移動することが好ましい態様である。
【手続補正５】
【補正対象書類名】明細書
【補正対象項目名】００１４
【補正方法】変更
【補正の内容】
【００１４】
前記距離Ｒは、（１）整経幅÷整経総本数の値、又は（２）異なる番手の経糸が混在する場合は直径の太い糸を巻付けるときの距離Ｒの値は直径の細い糸を巻き付けたときの距離Ｒの値より大きな値（ＲL）或いは直径の細い糸を巻き付けるときの距離Ｒ
の値は直径の太い糸を巻き付けるときの距離Ｒ（即ちＲL）の値より小さな値（ＲS）とし、それぞれの距離Ｒ（ＲL，ＲS）の値に対応する整経本数を乗じた値の合計が前記整経幅となるような上記（１）又は（２）のいずれかの距離Ｒ（ＲL，ＲS）を用いることが好ましい。
【手続補正６】
【補正対象書類名】明細書
【補正対象項目名】００１５
【補正方法】変更
【補正の内容】
【００１５】
前記変位量の距離Ｐの値は、整経される経糸太さの直径ｄ以上又は前記距離Ｒ以上のいずれかであることが好ましい。
【手続補正７】
【補正対象書類名】明細書
【補正対象項目名】００１６
【補正方法】変更
【補正の内容】
【００１６】
また、本発明の複本数同時整列巻き可能なサンプル整経機は、整経ドラムと、該整経ドラムの外周部の長手方向に移動自在に設けられた複数のコンベアベルトと、該整経ドラムの側部の長手方向に設けられ且つ所定の綾を形成する複数の綾取り手段と、該整経ドラムの外周面上に経糸を巻き付ける複数のヤーンガイドと、該ヤーンガイドに対応して設けられ且つボビンが着脱自在に装着されたクリールと、を備えるサンプル整経機であって、該ヤーンガイドによる経糸の巻付位置を定める導糸端部が整経方向に変位自在に設けられ、該ヤーンガイドが一回転する間に整経ドラムに巻付けられる複本数の経糸が整経方向とは逆方向に向かって距離Ｒを有する間隔を保持するように該ヤーンガイドの各々の導糸端部を変位させて配置することによって、該整経ドラムに巻き付けられる糸の巻付順に整経方向から逆方向に距離Ｒ分の間隔を有して配列された同時整経本数からなる経糸帯を形成すると共に、整経長が整経ドラム周長の２倍以上（２回巻以上）の場合は、予め設定された整経長に達するまでの間、ヤーンガイドの回転毎に前回転で形成した経糸帯から変位量の距離Ｐ分整経方向へ変位した経糸帯を形成するように積層することを特徴とする。
【手続補正８】
【補正対象書類名】明細書
【補正対象項目名】００１７
【補正方法】変更
【補正の内容】
【００１７】
予め設定された整経長に達すると、前記ガイド手段は次バンドの巻付け前に、次バンドの整経本数に応じて前バンドの１周目の巻付け始めのスタート位置に戻り、コンベアベルトは次バンドの同時整経本数に距離Ｒ分を乗じた距離ＲN分整経方向へ移動し、予め設定された整経総本数まで繰り返すことが好適である。